(57)【特許請求の範囲】
【請求項１】
素体と、
前記素体の内部に位置し、互いに平行に積層された極性の異なる複数の内部電極であって、前記素体の第１の面から端面が露出する引き出し電極を有する一方の極性の内部電極と、前記素体から端面が露出する引き出し電極を有する他方の極性の内部電極とを含む、複数の内部電極と、
前記素体の前記第１の面のみに設けられ、前記素体の前記第１の面において露出する前記一方の極性の内部電極の引き出し電極の端面と接する第１の電極層と、
前記他方の極性の内部電極の引き出し電極が露出する前記素体の面のみに設けられ、該面において露出する前記他方の極性の前記内部電極の引き出し電極の端面と接する第２の電極層と、
前記素体の前記第１の面に、前記第１の電極層と前記第２の電極層との間を覆うとともに前記第１の電極層の前記第２の電極層側の一部を覆うように設けられた絶縁層と
を備え、
前記複数の内部電極の積層方向から見て、前記一方の極性の内部電極の引き出し電極の引き出し方向に関する幅をＷ１とし、前記第１の電極層が前記絶縁層から露出している領域の幅をＷ２とし、前記第１の電極層の幅をＷ３としたときに、Ｗ２≦Ｗ１＜Ｗ３の式が成り立つ、積層コンデンサ。
【請求項２】
前記素体の前記第１の面から前記他方の極性の内部電極の引き出し電極が露出するとともに、前記素体の前記第１の面に前記第２の電極層が設けられており、
前記複数の内部電極の積層方向から見て、前記第１の面において前記一方の極性の内部電極の引き出し電極の端面および前記他方の極性の内部電極の引き出し電極の端面のいずれも露出していない領域の長さをＹとしたときに、Ｗ１／Ｙ≧０．７６の式が成り立つ、請求項１に記載の積層コンデンサ。
【請求項３】
前記素体の前記第１の面とは異なる第２の面から前記他方の極性の内部電極の引き出し電極が露出するとともに、前記素体の前記第２の面に前記第２の電極層が設けられており、
前記複数の内部電極の積層方向から見て、前記素体の幅をＷ４としたときに、Ｗ１／Ｗ４≧０．２０の式が成り立つ、請求項１に記載の積層コンデンサ。
【請求項４】
前記第１の電極層および前記第２の電極層が前記絶縁層から露出している領域にめっき層が形成されている、請求項１〜３のいずれか一項に記載の積層コンデンサ。
【発明の詳細な説明】
【技術分野】
【０００１】
本発明は、積層コンデンサに関する。
【背景技術】
【０００２】
従来より、複数の内部電極を有する積層構造の様々な積層コンデンサが知られている。特許文献１には、２端子垂直積層型コンデンサ（すなわち、コンデンサ内の積層された内部電極が回路基板の実装面に垂直に配置され、回路基板に接続される２つのコンデンサの端子を備えたコンデンサ）が開示されている。
【０００３】
特許文献１に開示された積層コンデンサでは、回路基板に対向する面に、一対の外部電極と、一対の外部電極の間の領域を完全に覆う絶縁層とが設けられている。
【先行技術文献】
【特許文献】
【０００４】
【特許文献１】特開２０１３−４６０５２号公報
【発明の概要】
【発明が解決しようとする課題】
【０００５】
上述した積層コンデンサにおいては、一対の外部電極の間に短絡が生じた場合には、部品の動作不良を招くため、そのような短絡を防止することが重要である。それと同時に、等価直列インダクタンス（ＥＳＬ）の低減も求められている。
【０００６】
本開示は、短絡を抑制しつつ、ＥＳＬの低減が図られた積層コンデンサを提供することを目的とする。
【課題を解決するための手段】
【０００７】
本開示に係る積層コンデンサは、素体と、素体の内部に位置し、素体の第１の面から端面が露出する引き出し電極を有する内部電極と、素体の第１の面に設けられ、素体の第１の面において露出する引き出し電極の端面と接する電極層と、素体の第１の面に、電極層の一部を覆うように設けられた絶縁層とを備え、内部電極の法線方向から見て、引き出し電極の引き出し方向に関する幅をＷ１とし、電極層が絶縁層から露出している領域の幅をＷ２とし、電極層の幅をＷ３としたときに、Ｗ２≦Ｗ１＜Ｗ３の式が成り立つ。
【０００８】
上記積層コンデンサにおいては、電極層が絶縁層から露出している領域の幅（Ｗ２）が電極層の幅（Ｗ３）より狭い（すなわち、Ｗ２＜Ｗ３）ため、実装時における短絡が抑制される。加えて、上記積層コンデンサにおいては、引き出し電極の幅（Ｗ１）が、電極層が絶縁層から露出している領域の幅（Ｗ２）と比べて同じまたはより大きく、かつ、電極層の幅（Ｗ３）が引き出し電極の幅（Ｗ１）より大きいため、ＥＳＬの低減も図られている。
【０００９】
また、互いに平行に積層された極性の異なる複数の内部電極を備え、素体の第１の面に設けられた第１の電極層に、一方の極性の内部電極の引き出し電極の端面が接し、素体の第１の面に設けられ、第１の電極層とは異なる第２の電極層に、他方の極性の内部電極の引き出し電極の端面が接し、複数の内部電極の積層方向から見て、第１の面において一方の極性の内部電極の引き出し電極の端面および他方の極性の内部電極の引き出し電極の端面のいずれも露出していない領域の長さをＹとしたときに、Ｗ１／Ｙ≧０．７６の式が成り立つ態様であってもよい。この場合、第１の面に設けられた第１の電極層と第２の電極層との間の実装時における短絡を抑制しつつ、ＥＳＬの低減を図ることができる。
【００１０】
さらに、互いに平行に積層された極性の異なる複数の内部電極を備え、素体の第１の面に設けられた第１の電極層に、一方の極性の内部電極の引き出し電極の端面が接し、素体の第１の面とは異なる第２の面に設けられ、第１の電極層とは異なる第２の電極層に、他方の極性の内部電極の引き出し電極の端面が接し、複数の内部電極の積層方向から見て、素体の幅をＷ４としたときに、Ｗ１／Ｗ４≧０．２０の式が成り立つ態様であってもよい。この場合、第１の面に設けられた第１の電極層と第２の面に設けられた第２の電極層との間の実装時における短絡を抑制しつつ、ＥＳＬの低減を図ることができる。
【００１１】
また、電極層が絶縁層から露出している領域にめっき層が形成されている態様であってもよい。この場合、めっき層が形成された領域において実装することができる。
【発明の効果】
【００１２】
本開示によれば、短絡を抑制しつつ、ＥＳＬの低減が図られた積層コンデンサが提供される。
【図面の簡単な説明】
【００１３】
【図１】図１は、実施形態に積層コンデンサの概略斜視図である。
【図２】図２は、図１に示した積層コンデンサのＩＩ−ＩＩ線断面図である。
【図３】図３は、図１に示した積層コンデンサのＩＩＩ−ＩＩＩ線断面図である。
【図４】図４は、図１に示した積層コンデンサの各要素の寸法を示した図である。
【図５】図５は、実施例および比較例に係る結果を示した表である。
【図６】図６は、図１に示した態様とは異なる態様の積層コンデンサを示した概略斜視図である。
【図７】図７は、図６に示した積層コンデンサの各要素の寸法を示した図である。
【図８】図８は、図１、６に示した態様とは異なる態様の積層コンデンサを示した概略斜視図である。
【図９】図９は、図８に示した積層コンデンサの各要素の寸法を示した図である。
【図１０】図１０は、実施例および比較例に係る結果を示した表である。
【発明を実施するための形態】
【００１４】
以下、添付図面を参照して、実施形態に係る積層コンデンサについて詳細に説明する。なお、説明において、同一要素又は同一機能を有する要素には、同一符号を用いることとし、重複する説明は省略する。
【００１５】
図１に、実施形態に係る積層コンデンサ１０を示す。図１に示すように、積層コンデンサ１０は、略直方体形状の外形を有する素体２０を備える。素体２０は、対向する一対の端面２０ａ、２０ｂを有し、また、両端面２０ａ、２０ｂに直交するように延在し、かつ、両端面２０ａ、２０ｂを結ぶ底面（第１の面）２０ｃを有する。素体２０の寸法は、一例として、長手方向長さ（両端面２０ａ、２０ｂの離間距離）が６００μｍ、短手方向長さ（両端面２０ａ、２０ｂの対向方向と底面２０ｃの法線方向とに直交する方向の長さ）が３００μｍ、高さが３００μｍであるが、これに限定されない。素体２０の寸法は、長手方向長さを１０００μｍ以下、短手方向長さを５００μｍ以下、高さを５００μｍ以下とすることが好ましい。
【００１６】
素体２０の内部には、複数の内部電極２２、２４が形成されている。各内部電極２２、２４は、素体２０の底面２０ｃに対して立直した姿勢で、端面２０ａ、２０ｂの対向方向に沿って延在している。そして、複数の内部電極２２、２４は、所定距離だけ離間されて互いに平行に積層されている。すなわち、複数の内部電極２２、２４は、素体２０の端面２０ａ、２０ｂの対向方向および底面２０ｃの法線方向に対して直交するように、積層されている。
【００１７】
複数の内部電極２２、２４は、正極の内部電極（第１の電極層）２２と負極の内部電極２４とで構成されており、正極の内部電極２２と負極の内部電極２４とが交互に配置されている。各内部電極２２、２４は、一体的に形成された、主に容量を形成するための容量電極２２ａ、２４ａと、主に電極を素体外部に引き出するための引き出し電極２２ｂ、２４ｂとを有する。具体的には、図２に示すように、内部電極２４は、素体端面２０ａ、２０ｂの対向方向（図２の左右方向）に長く延びる長方形状の容量電極２４ａと、容量電極２４ａの底面２０ｃ側に設けられて底面２０ｃに露出する長方形状の引き出し電極２４ｂとを有する。引き出し電極２４ｂは、底面２０ｃに沿って、端面２０ｂ近傍から底面２０ｃの中央付近まで延びている。他方の内部電極２２についても、内部電極２４の容量電極２４ａと実質的に同一寸法の容量電極２２ａと、容量電極２２ａの底面２０ｃ側に設けられて底面２０ｃに露出する長方形状の引き出し電極２２ｂとを有する。
【００１８】
なお、容量電極２２ａ、２４ａの寸法は、一例として、長さ５００μｍ、高さ２００μｍ、厚さ１μｍである。引き出し電極２２ｂ、２４ｂの寸法は、一例として、長さ２００μｍ、高さ５０μｍ、厚さ１μｍである。
【００１９】
そして、素体２０の底面（第１の面）２０ｃには、電極層３０Ａ（第１の電極層）、電極層３０Ｂ（第２の電極層）および絶縁層４０が形成されている。一対の電極層３０Ａ、３０Ｂおよび絶縁層４０は、図１〜３に示すように、底面２０ｃの短手方向（すなわち、内部電極２２、２４の積層方向）に全長に亘って形成されている。
【００２０】
一対の電極層３０Ａ、３０Ｂは、上述した内部電極２２、２４と接続される。具体的には、正極の電極層３０Ａは、端面２０ａ側の底面領域に設けられ、底面２０ｃに露出した各内部電極２２の引き出し電極２２ｂの端面２３の全域と接し、それにより、電極層３０Ａと各内部電極２２とが電気的に接続される。負極の電極層３０Ｂは、端面２０ｂ側の底面領域に設けられ、底面２０ｃに露出した各内部電極２４の引き出し電極２４ｂの端面２５の全域と接し、それにより、電極層３０Ｂと各内部電極２４とが電気的に接続される。
【００２１】
絶縁層４０は、一対の電極層３０Ａ、３０Ｂの間の領域および各電極層３０Ａ、３０Ｂの一部を一体的に覆うように、底面２０ｃの中央領域に設けられている。より詳しくは、図２に示すように、絶縁層４０は、電極層３０Ａの中央側の端部（すなわち、電極層３０Ｂ側の端部）を所定長さ分だけ覆っている。絶縁層４０は、同様に、電極層３０Ｂの中央側の端部（すなわち、電極層３０Ａ側の端部）も、電極層３０Ａと同じ長さ分だけ覆っている。そのため、絶縁層４０は、図２において線対称の断面形状を呈する。
【００２２】
また、絶縁層４０は、一対の電極層３０Ａ、３０Ｂの間を充たすとともに、各電極層３０Ａ、３０Ｂ上に乗り上げており、各電極層３０Ａ、３０Ｂの厚さよりも絶縁層４０の厚さが厚くなるように設計されている。絶縁層４０と接する部分の電極層３０Ａ、３０Ｂが、絶縁層４０の下側（底面２０ｃ側）に潜り込んでいると言うこともできる。
【００２３】
絶縁層４０は、たとえばガラスや樹脂等の絶縁材料で構成されており、印刷等の形成方法によって形成される。
【００２４】
なお、図２に示すように、電極層３０Ａ、３０Ｂが絶縁層４０から露出している領域それぞれに、めっき層５０を形成することができる。めっき層５０が形成された領域において、回路基板５１上に実装され得る。
【００２５】
ここで、図４を参照しつつ、引き出し電極２２ｂ、２４ｂ、電極層３０Ａ、３０Ｂおよび絶縁層４０の位置関係および寸法の大小関係について、より詳しく説明する。
【００２６】
図４に示すように、説明の便宜上、内部電極２２、２４の積層方向から見て、内部電極２２の引き出し電極２２ｂの引き出し方向に関する幅をＷ１とし、電極層３０Ａが絶縁層４０から露出している領域の幅をＷ２とし、電極層３０Ａの幅をＷ３とする。また、素体２０の底面２０ｃの幅をＷ４とし、底面２０ｃにおいて、内部電極２２、２４の引き出し電極２２ｂ、２４ｂの端面２３、２５のいずれも露出していない領域の合計長さをＹ（Ｙ＝ｙ１＋ｙ２＋ｙ３）とする。なお、ｙ１は、素体２０の端面２０ａと、底面２０ｃに露出した引き出し電極２２ｂの端面２３とが離間している領域の長さを示し、ｙ２は、素体２０の底面２０ｃの中央付近において引き出し電極２２ｂの端面２３と引き出し電極２４ｂの端面２５とが離間している領域の長さを示し、ｙ３は、素体２０の端面２０ｂと、底面２０ｃに露出した引き出し電極２４ｂの端面２５とが離間している領域の長さを示す。上記の幅Ｗ１、Ｗ２、Ｗ３、Ｗ４はいずれも、図４のように内部電極の法線方向からみたときの、引き出し電極の引き出し方向に関する幅、すなわち、引き出し方向に対して直交する方向の長さである。
【００２７】
このとき、積層コンデンサ１０においては、Ｗ２≦Ｗ１＜Ｗ３の式（以下、第１の式とも称す。）が成り立つとともに、Ｗ１／Ｙ≧０．７６の式（以下、第２の式とも称す。）が成り立つ。
【００２８】
上記第１の式は、電極層３０Ａが絶縁層４０から露出している領域の幅（Ｗ２）が、電極層３０Ａの幅（Ｗ３）より狭い（すなわち、Ｗ２＜Ｗ３）ことを意味し、図２に示すように電極層３０Ａの中央側の端部が絶縁層４０で覆われていることを意味する。この場合、電極層３０Ａは、絶縁層４０により、その露出部分が他方の電極層３０Ｂから遠ざかるため、電極層３０Ａと電極層３０Ｂとの間に電圧が印加される実装時において、両電極層３０Ａ、３０Ｂ間に短絡が生じる事態が抑制される。
【００２９】
また、上記第１の式は、引き出し電極２２ｂの幅（Ｗ１）が、電極層３０Ａが絶縁層４０から露出している領域の幅（Ｗ２）と比べて同じまたはより大きい（すなわち、Ｗ２≦Ｗ１）ことを意味し、かつ、電極層３０Ａの幅（Ｗ３）が引き出し電極２２ｂの幅（Ｗ１）より大きい（すなわち、Ｗ１＜Ｗ３）ことを意味し、十分に広い幅の引き出し電極２２ｂの端面２３がその全域に亘って電極層３０Ａで覆われることを意味する。それにより、積層コンデンサ１０のＥＳＬの低減が図られる。
【００３０】
なお、内部電極２４および電極層３０Ｂに関しても、内部電極２２、２４の積層方向から見て、引き出し電極２４ｂの幅をＷ１とし、電極層３０Ｂが絶縁層４０から露出している領域の幅をＷ２とし、電極層３０Ｂの幅をＷ３としたときも、同じ関係式（Ｗ２≦Ｗ１＜Ｗ３）が成り立つ。
【００３１】
上記第２の式は、Ｗ１がＹの０．７６倍以上であることを意味しており、発明者らによる以下に示す実験により見出された式である。
【００３２】
実験では、図５に示すように、３つの比較例１〜３に係る試料および５つの実施例１〜５に係る試料を準備し、ネットワークアナライザを使用してＳパラメータからインピーダンスヘ換算し、各試料のＥＳＬ（ｐＨ）を測定した。なお、いずれの試料も、内部電極２２、２４の積層方向から見た素体２０の幅（Ｗ４）は６００μｍで統一されている。
【００３３】
具体的には、比較例１に係る試料では、引き出し電極２２ｂ、２４ｂの幅がいずれも５０μｍであり、Ｗ１がＹの０．２０倍となっている。また、比較例２および比較例３に係る試料では、引き出し電極２２ｂ、２４ｂの幅がいずれも１００μｍであり、Ｗ１がＹの０．５０倍となっている。すなわち、比較例１〜３に係る試料のいずれもＷ１がＹの０．７６倍未満であり、第２の式の関係が成り立っていない。
【００３４】
そして、比較例１〜３に係る試料それぞれについてＥＳＬを測定したところ、比較例１の試料では２３０ｐＨ、比較例２の試料では１８０ｐＨ、比較例３の試料では１８０ｐＨとなり、いずれも高い値を示した。
【００３５】
実施例１〜５に関しては、実施例１に係る試料では、引き出し電極２２ｂ、２４ｂの幅がいずれも１３０μｍであり、Ｗ１がＹの０．７６倍となっている。また、実施例２に係る試料では、引き出し電極２２ｂ、２４ｂの幅がいずれも１５０μｍであり、Ｗ１がＹの１．００倍となっている。実施例３に係る試料では、引き出し電極２２ｂ、２４ｂの幅がいずれも１８０μｍであり、Ｗ１がＹの１．５０倍となっている。実施例４に係る試料では、引き出し電極２２ｂ、２４ｂの幅がいずれも２００μｍであり、Ｗ１がＹの２．００倍となっている。実施例５に係る試料では、引き出し電極２２ｂ、２４ｂの幅がいずれも１８０μｍであり、Ｗ１がＹの１．５０倍となっている。すなわち、実施例１〜５に係る試料のいずれもＷ１がＹの０．７６倍以上であり、第２の式の関係が成り立つ。
【００３６】
実施例１〜５に係る試料それぞれについてＥＳＬを測定したところ、実施例１の試料では１５０ｐＨ、実施例２の試料では１３０ｐＨ、実施例３の試料では１１０ｐＨ、実施例４の試料では８０ｐＨ、実施例５の試料では１１０ｐＨとなり、いずれも比較例１〜３に比べて低い値を示した。なお、本実験において、ＥＳＬが１５０ｐＨ以下であれば実用上十分に低い値であり、１１０ｐＨ以下であればさらに実用性のある値である。
【００３７】
以上の実験結果から、発明者らは、Ｗ１がＹの０．７６倍以上である場合には、すなわち上記第２の式が成り立つ場合には、実用上十分に低いＥＳＬの値が得られるとの知見を得た。
【００３８】
積層コンデンサ１０は、図２に示すように、内部電極２２、２４、電極層３０Ａ、３０Ｂおよび絶縁層４０が対称性を有するため、上記実験結果から、内部電極２４の引き出し電極２４ｂの幅をＷ１としたときにＷ１／Ｙ≧０．７６が成り立つときにも、低いＥＳＬの値が得られると考えられる。
【００３９】
図６に、上述した積層コンデンサ１０とは異なる態様の積層コンデンサ１０Ａを示す。
【００４０】
積層コンデンサ１０Ａは、上述した積層コンデンサ１０の素体２０と同様の素体２０Ａを有し、素体２０Ａの内部には、複数の内部電極２６、２８が形成されている。各内部電極２６、２８は、素体２０Ａの底面２０ｃに対して平行な姿勢で、端面２０ａ、２０ｂの対向方向に沿って延在している。そして、複数の内部電極２６、２８は、所定距離だけ離間されて互いに平行に積層されている。
【００４１】
複数の内部電極２６、２８は、正極の内部電極２６と負極の内部電極２８とで構成されており、正極の内部電極２６と負極の内部電極２８とが交互に配置されている。各内部電極２６、２８は、一体的に形成された、主に容量を形成するための容量電極２６ａ、２８ａと、主に電極を素体外部に引き出するための引き出し電極２６ｂ、２８ｂとを有する。具体的には、図７に示すように、内部電極２６は、素体端面２０ａ、２０ｂの対向方向（図７の左右方向）に長く延びる長方形状の容量電極２６ａと、容量電極２６ａから素体２０Ａの両側面２０ｄ、２０ｅまで延びて露出する長方形状の一対の引き出し電極２６ｂとを有する。一対の引き出し電極２６ｂは、端面２０ａ近傍から側面２０ｄに沿って側面２０ｄの中央付近まで延びている引き出し電極２６ｂと、端面２０ｂ近傍から側面２０ｅに沿って側面２０ｅの中央付近まで延びている引き出し電極２６ｂとで構成されている。他方の内部電極２８についても、内部電極２６の容量電極２６ａと実質的に同一寸法の容量電極２８ａと、容量電極２８ａから素体２０Ａの両側面２０ｄ、２０ｅまで延びて露出する長方形状の一対の引き出し電極２８ｂとを有する。一対の引き出し電極２８ｂは、端面２０ａ近傍から側面２０ｅに沿って側面２０ｅの中央付近まで延びている引き出し電極２８ｂと、端面２０ｂ近傍から側面２０ｄに沿って側面２０ｄの中央付近まで延びている引き出し電極２８ｂとで構成されている。そして、内部電極２６の形状と内部電極２８の形状とは、１８０度回転させたときに重なる回転対称の関係または鏡像の関係を有する。
【００４２】
なお、容量電極２６ａ、２８ａの寸法は、一例として、長さ５００μｍ、高さ２００μｍ、厚さ１μｍである。各引き出し電極２６ｂ、２８ｂの寸法は、一例として、長さ２００μｍ、高さ５０μｍ、厚さ１μｍである。
【００４３】
そして、素体２０Ａの両側面２０ｄ、２０ｅには、４つの電極層３０Ａ〜３０Ｄおよび２つの絶縁層４０が形成されている。すなわち、素体２０Ａの一方の側面２０ｄ（第１の面）には、電極層３０Ａ（第１の電極層）、電極層３０Ｂ（第２の電極層）および絶縁層４０が形成されており、他方の側面２０ｅには、一対の電極層３０Ｃ、３０Ｄおよび絶縁層４０が形成されている。
【００４４】
なお、積層コンデンサ１０Ａにおいても、電極層３０Ａ〜３０Ｄが絶縁層４０から露出している領域それぞれに、回路基板５１上に実装するためのめっき層５０を形成することができる。
【００４５】
そして、積層コンデンサ１０Ａにおいては、素体２０Ａの両側面２０ｄ、２０ｅのそれぞれの側において、内部電極２６、２８の積層方向から見たときの引き出し電極２６ｂ、２８ｂ、電極層３０Ａ〜３０Ｄおよび絶縁層４０の位置関係および寸法の大小関係が、上述した積層コンデンサ１０の引き出し電極２２ｂ、２４ｂ、電極層３０Ａ、３０Ｂおよび絶縁層４０の位置関係および寸法の大小関係が同じになっている。
【００４６】
すなわち、図７に示すように、内部電極２６、２８の積層方向から見て、内部電極２６の引き出し電極２６ｂの引き出し方向に関する幅をＷ１とし、電極層３０Ａが絶縁層４０から露出している領域の幅をＷ２とし、電極層３０Ａの幅をＷ３とする。また、素体２０Ａの側面２０ｄの幅をＷ４とし、側面２０ｄにおいて、内部電極２６、２８の引き出し電極２６ｂ、２８ｂの端面２７、２９のいずれも露出していない領域の合計長さをＹ（Ｙ＝ｙ１＋ｙ２＋ｙ３）とする。なお、ｙ１は、素体２０Ａの端面２０ａと、側面２０ｄに露出した引き出し電極２６ｂの端面２７とが離間している領域の長さを示し、ｙ２は、素体２０Ａの側面２０ｄの中央付近において引き出し電極２６ｂの端面２７と引き出し電極２８ｂの端面２９とが離間している領域の長さを示し、ｙ３は、素体２０Ａの端面２０ｂと、側面２０ｄに露出した引き出し電極２８ｂの端面２９とが離間している領域の長さを示す。上記の幅Ｗ１、Ｗ２、Ｗ３、Ｗ４はいずれも、図７のように内部電極の法線方向からみたときの、引き出し電極の引き出し方向に関する幅、すなわち、引き出し方向に対して直交する方向の長さである。
【００４７】
このとき、積層コンデンサ１０Ａにおいては、上述した第１の式（Ｗ２≦Ｗ１＜Ｗ３）が成り立つとともに、第２の式（Ｗ１／Ｙ≧０．７６）が成り立つ。
【００４８】
そのため、積層コンデンサ１０Ａにおいても、上述した積層コンデンサ１０同様、電極層３０Ａと電極層３０Ｂとの間および電極層３０Ｃと電極層３０Ｄとの間に電圧が印加される実装時において、電極層３０Ａ、３０Ｂ間および電極層３０Ｃ、３０Ｄ間に短絡が生じる事態が抑制されるとともに、ＥＳＬの低減が図られる。
【００４９】
図８に、上述した積層コンデンサ１０、１０Ａとは異なる態様の積層コンデンサ１０Ｂを示す。
【００５０】
積層コンデンサ１０Ｂは、上述した積層コンデンサ１０、１０Ａの素体２０、２０Ａと同様の素体２０Ｂを有し、素体２０Ｂの内部には、複数の内部電極５２、５４が形成されている。各内部電極５２、５４は、素体２０Ｂの底面２０ｃに対して平行な姿勢で、端面２０ａ、２０ｂの対向方向に沿って延在している。そして、複数の内部電極５２、５４は、所定距離だけ離間されて互いに平行に積層されている。
【００５１】
複数の内部電極５２、５４は、正極の内部電極５２と負極の内部電極５４とで構成されており、正極の内部電極５２と負極の内部電極５４とが交互に配置されている。各内部電極５２、５４は、一体的に形成された、主に容量を形成するための容量電極５２ａ、５４ａと、主に電極を素体外部に引き出するための引き出し電極５２ｂ、５４ｂとを有する。具体的には、図９に示すように、内部電極５２は、素体端面２０ａ、２０ｂの対向方向（図９の左右方向）に長く延びる長方形状の容量電極５２ａと、容量電極５２ａから素体２０Ｂの両側面２０ｄ、２０ｅまで延びて露出する長方形状の一対の引き出し電極５２ｂとを有する。一対の引き出し電極５２ｂは、側面２０ｄ側の中央付近に形成された引き出し電極５２ｂと、側面２０ｅ側の中央付近に形成された引き出し電極５２ｂとで構成されている。他方の内部電極５４は、内部電極５２の容量電極５２ａと実質的に同一寸法の容量電極５４ａと、容量電極５４ａから素体２０Ｂの両端面２０ａ、２０ｂまで延びて露出する長方形状の一対の引き出し電極５４ｂとを有する。一対の引き出し電極５４ｂは、端面２０ａ側の中央付近に形成された引き出し電極５４ｂと、端面２０ｂ側の中央付近に形成された引き出し電極５４ｂとで構成されている。
【００５２】
なお、容量電極５２ａ、５４ａの寸法は、一例として、長さ５００μｍ、高さ２００μｍ、厚さ１μｍである。各引き出し電極５２ｂ、５４ｂの寸法は、一例として、長さ２００μｍ、高さ５０μｍ、厚さ１μｍである。
【００５３】
そして、素体２０Ｂの両端面２０ａ、２０ｂおよび両側面２０ｄ、２０ｅには、４つの電極層３０Ａ〜３０Ｄおよび４つの絶縁層４０が形成されている。すなわち、素体２０Ｂの一方の側面２０ｄ（第１の面）には、電極層３０Ａ（第１の電極層）および２つの絶縁層４０が形成されており、他方の側面２０ｅには、電極層３０Ｃおよび２つの絶縁層４０が形成されており、一方の端面２０ａ（第２の面）には電極層３０Ｂ（第２の電極層）が形成されており、他方の端面２０ｂには電極層３０Ｄが形成されている。
【００５４】
電極層３０Ａ、３０Ｃは、内部電極５２と接続される。具体的には、正極の電極層３０Ａ、３０Ｃは、側面２０ｄ、２０ｅの中央領域に設けられ、各側面２０ｄ、２０ｅに露出した各内部電極５２の引き出し電極５２ｂの端面５３の全域と接し、それにより、電極層３０Ａ、３０Ｃと各内部電極５２とが電気的に接続される。負極の電極層３０Ｂ、３０Ｄは、端面２０ａ、２０ｂの中央領域に設けられ、各端面２０ａ、２０ｂに露出した各内部電極５４の引き出し電極５４ｂの端面５５の全域と接し、それにより、電極層３０Ｂ、３０Ｄと各内部電極５４とが電気的に接続される。
【００５５】
４つの絶縁層４０は、正極の電極層３０Ａ、３０Ｃと負極の電極層３０Ｂ、３０Ｄとのそれぞれの間を覆うように、両側面２０ｄ、２０ｅに２つずつ設けられている。具体的には、各絶縁層４０は、電極層の間の領域および電極層３０Ａ、３０Ｃの一部を一体的に覆うように設けられている。より詳しくは、図９に示すように、各側面２０ｄ、２０ｅにおける２つの絶縁層４０は、電極層３０Ａ、３０Ｃの両端部を同じ長さ分だけ覆っている。そのため、電極層３０Ａ、３０Ｃおよび絶縁層４０は、図９において線対称の平面形状を呈する。
【００５６】
また、絶縁層４０は、電極層３０Ａ〜３０Ｄのそれぞれの間を覆うとともに、電極層３０Ａ、３０Ｃ上に乗り上げている。絶縁層４０と接する部分の電極層３０Ａ、３０Ｃが、絶縁層４０の下側（側面２０ｄ、２０ｅ側）に潜り込んでいると言うこともできる。
【００５７】
なお、積層コンデンサ１０Ｂにおいても、電極層３０Ａ〜３０Ｄが絶縁層４０から露出している領域それぞれに、回路基板５１上に実装するためのめっき層５０を形成することができる。
【００５８】
そして、積層コンデンサ１０Ｂにおいては、素体２０Ｂの両側面２０ｄ、２０ｅのそれぞれの側において、内部電極５２、５４の積層方向から見たときの引き出し電極５２ｂ、電極層３０Ａ、３０Ｃおよび絶縁層４０の位置関係および寸法の大小関係が、上述した第１の式（Ｗ２≦Ｗ１＜Ｗ３）を満たしている。
【００５９】
すなわち、図９に示すように、内部電極５２、５４の積層方向から見て、内部電極５２の引き出し電極５２ｂの引き出し方向に関する幅をＷ１とし、電極層３０Ａが絶縁層４０から露出している領域の幅をＷ２とし、電極層３０Ａの幅をＷ３とする。
【００６０】
そのため、積層コンデンサ１０Ｂにおいても、上述した積層コンデンサ１０、１０Ａ同様、電極層３０Ａと電極層３０Ｂ、３０Ｄとの間および電極層３０Ｃと電極層３０Ｂ、３０Ｄとの間に電圧が印加される実装時において、これらの電極層間に短絡が生じる事態が抑制されるとともに、ＥＳＬの低減が図られる。
【００６１】
また、積層コンデンサ１０Ｂにおいては、素体２０Ｂの側面２０ｄの幅をＷ４としたときに、Ｗ１／Ｗ４≧０．２０の式（以下、第３の式とも称す。）が成り立つ。
【００６２】
上記第３の式は、Ｗ１がＷ４の０．２０倍以上であることを意味しており、発明者らによる以下に示す実験により見出された式である。
【００６３】
実験では、図１０に示すように、１つの比較例１に係る試料および４つの実施例１〜４に係る試料を準備し、それぞれについてＥＳＬ（ｐＨ）を測定した。ネットワークアナライザを使用してＳパラメータからインピーダンスヘ換算し、各試料のＥＳＬ（ｐＨ）を測定した。なお、いずれの試料も、内部電極５２、５４の積層方向から見た素体２０Ｂの幅（Ｗ４）は１０００μｍで統一されている。
【００６４】
具体的には、比較例１に係る試料では、引き出し電極５２ｂの幅が８０μｍであり、Ｗ１がＷ４の０．０８倍となっている。すなわち、比較例１に係る試料では、Ｗ１がＷ４の０．２０倍未満であり、第３の式の関係が成り立っていない。この比較例１に係る試料についてＥＳＬを測定したところ、３４ｐＨとなり、高い値を示した。
【００６５】
実施例１〜４に関しては、実施例１に係る試料では、引き出し電極５２ｂの幅が２００μｍであり、Ｗ１がＷ４の０．２０倍となっている。また、実施例２に係る試料では、引き出し電極５２ｂの幅が２５０μｍであり、Ｗ１がＷ４の０．２５倍となっている。実施例３に係る試料では、引き出し電極５２ｂの幅が３００μｍであり、Ｗ１がＷ４の０．３０倍となっている。実施例４に係る試料では、引き出し電極５２ｂの幅が５００μｍであり、Ｗ１がＷ４の０．５０倍となっている。すなわち、実施例１〜４に係る試料のいずれもＷ１がＹの０．２０倍以上であり、第３の式の関係が成り立つ。
【００６６】
実施例１〜４に係る試料それぞれについてＥＳＬを測定したところ、実施例１の試料では２０ｐＨ、実施例２の試料では１７ｐＨ、実施例３の試料では１５ｐＨ、実施例４の試料では１１ｐＨとなり、いずれも比較例１に比べて低い値を示した。なお、本実験において、ＥＳＬが２０ｐＨ以下であれば実用上十分に低い値である。
【００６７】
以上の実験結果から、発明者らは、Ｗ１がＷ４の０．２０倍以上である場合には、すなわち上記第３の式が成り立つ場合には、実用上十分に低いＥＳＬの値が得られるとの知見を得た。
【００６８】
なお、本発明は、上記実施形態に限定されず、種々の変更が可能である。たとえば、容量電極や引き出し電極といった内部電極の形状は、適宜変更することができる。また、そのような変更に伴い、電極層の形状や数も適宜変更することができる。
【符号の説明】
【００６９】
１０、１０Ａ、１０Ｂ…積層コンデンサ、２０、２０Ａ、２０Ｂ…素体、２０ａ、２０ｂ…端面、２０ｃ…底面、２０ｄ、２０ｅ…側面、２２、２４、２６、２８、５２、５４…内部電極、２２ｂ、２４ｂ、２６ｂ、５２ｂ、５４ｂ…引き出し電極、２３、２５、２７、２９、５３、５５…端面、３０Ａ〜３０Ｄ…電極層、４０…絶縁層、５０…めっき層。
【図１】
0006769058.tif 000002
【図２】
0006769058.tif 000003
【図３】
0006769058.tif 000004
【図４】
0006769058.tif 000005
【図５】
0006769058.tif 000006
【図６】
0006769058.tif 000007
【図７】
0006769058.tif 000008
【図８】
0006769058.tif 000009
【図９】
0006769058.tif 000010
【図１０】
0006769058.tif 000011